(57)【要約】【課題】スイッチング素子のしきい値電圧が通電時間経過により変動しても正確な画像を形成することができる半導体装置、電気光学装置および電子機器を提供する。【解決手段】半導体装置は、機能層が有機材料にて形成され、ソース電極１６とドレイン電極２０とを備えたスイッチング素子（ＴＦＴ１２）と、ソース電極１６とドレイン電極２０との間に配置されたＰ型半導体部２６及びＮ型半導体部２８を備えた整流素子（ダイオード整流素子１４）と、を含む。【選択図】図２
2007264003.tif 000002
【特許請求の範囲】
【請求項１】
機能層が有機材料にて形成され、ソース電極とドレイン電極とを備えたスイッチング素
子と、
前記ソース電極と前記ドレイン電極との間に配置されたＰ型半導体部及びＮ型半導体部
を備えた整流素子と、
を含むことを特徴とする半導体装置。
【請求項２】
請求項１記載の半導体装置において、
前記Ｎ型半導体部の構成材料は、ｎ型酸化物半導体材料で形成され、前記Ｐ型半導体部
はヨウ化銅または有機半導体で形成されていることを特徴とする半導体装置。
【請求項３】
請求項１又は２に記載の半導体装置において、
前記Ｎ型半導体部は緻密膜で形成されていることを特徴とする半導体装置。
【請求項４】
請求項３記載の半導体装置において、
前記緻密膜の上に多孔体が形成されていることを特徴とする半導体装置。
【請求項５】
請求項１から４のいずれか一項に記載の半導体装置において、
前記Ｐ型半導体部及び前記Ｎ型半導体部のうち一方が前記ソース電極に接触し、前記Ｐ
型半導体部及び前記Ｎ型半導体部のうち他方が前記ドレイン電極に接触することを特徴と
する半導体装置。
【請求項６】
請求項１から５のいずれか一項に記載の半導体装置において、
前記Ｐ型半導体部及び前記Ｎ型半導体部を覆う遮光層をさらに含むこと、
を特徴とする半導体装置。
【請求項７】
請求項１から６のいずれか一項に記載の半導体装置と、
前記半導体装置によって駆動される電気光学素子と、を備えることを特徴とする電気光
学装置。
【請求項８】
請求項７記載の電気光学装置を備えることを特徴とする電子機器。
【発明の詳細な説明】
【技術分野】
【０００１】
本発明は、半導体装置、電気光学装置および電子機器に関するものである。
【背景技術】
【０００２】
従来、非発光型の電気光学装置として、電気泳動現象を利用した電気泳動表示装置が知
られている（例えば、特許文献１参照）。電気泳動現象は、液体中（分散媒）に微粒子（
電気泳動粒子）を分散させた分散系に電界を印加したとき、微粒子がクーロン力により泳
動する現象をいう。ここで、電気泳動表示装置の概略的な構成を簡単に述べる。電気泳動
表示装置は、一方の電極と他方の電極とを所定の間隔で対向させ、その間に画像の表示単
位である画素としての分散系をマトリクス状に多数配置して構成されている。そして、電
気泳動表示装置は、それらの分散系に電界を印加するための周辺回路を備えている。
【０００３】
図１１は、電気泳動表示装置の１画素に対応した分散系を示す表示パネルの要部断面図
である。画素となる分散系５６は、画素電極２０等を設けた電気光学装置用基板５８と共
通電極３８等を設けた対向基板４０との間に隔壁４２を形成し、両電極２０，３８と隔壁
４２とで形成される空間４４に電気泳動粒子４６を分散させた液体（分散媒）４８を充填
して構成されている。共通電極３８および対向基板４０としては、透過性を有する材料が
用いられている。ここで、例えば２値表示を実現する場合、分散媒４８は黒色に染色され
、電気泳動粒子４６としては酸化チタン等の白色粒子が用いられる。そして、電気泳動粒
子４６は正負いずれかの電荷を持つように帯電されている。また、電気光学装置用基板５
８には上述した画素電極２０の他に、走査線、データ線及びスイッチング素子として機能
する薄膜トランジスタ（Thin Film Transistor：以下、ＴＦＴ）が形成されている（図１
１では省略している）。
【０００４】
図１２は、１画素に対応した等価回路を説明する説明図である。すなわち、表示パネル
の電気光学装置用基板５８上には互いに直交する方向に沿ってゲート線１８とデータ線１
６とが設けられ、それらの交差部に対応してＴＦＴ１２が設けられている。ＴＦＴ１２の
ゲート電極はゲート線１８に接続されている。またＴＦＴ１２のソース電極はデータ線１
６に接続されている。さらにＴＦＴ１２のドレイン電極は分散系５６を挟持する一方の画
素電極２０に接続されている。尚、分散系５６を挟持する他方の共通電極３８には、共通
電圧Ｖｃｏｍ（一般には接地電圧）が印加される。
【０００５】
このような構成において、ゲート線１８は、図示しない走査線駆動回路から供給される
ゲート線信号によってアクティブになり、このアクティブになる期間（選択期間）に於い
てＴＦＴ１２はオンされている。そして、データ線１６及びオンしたＴＦＴ１２を介して
図示しないデータ線駆動回路からデータ信号が供給されることにより、画素電極２０に電
圧が印加される。
【０００６】
画素電極２０と共通電極３８との間に電位差を与えると、クーロン力によって電気泳動
粒子４６が画素電極２０又は共通電極３８のどちらか一方の電極に引き寄せられる。この
とき、電気泳動粒子４６が透明の共通電極３８側に引き寄せられると、共通電極３８から
入射した光は電気泳動粒子４６によって反射され、電気泳動粒子４６の色（白色）が見え
ることになる。一方、電気泳動粒子４６が画素電極２０側に引き寄せられると、前述した
入射光と反射光は分散媒４８によって吸収され、分散媒４８の染色した色（黒色）が見え
ることになる。つまり、電気泳動表示装置は、表示パネルにマトリクス状に多数配置され
た各々の分散系５６について、分散系５６の電気泳動粒子４６の移動位置をそれぞれ個々
に制御することによって画像を形成している。
【０００７】
【特許文献１】特開２００２−１６９１９０号公報
【発明の開示】
【発明が解決しようとする課題】
【０００８】
しかしながら、ゲート線１８からＴＦＴ１２のゲート電極に供給される電圧値は、ＴＦ
Ｔ１２をオンにする電圧（０Ｖ）と、ＴＦＴ１２をオフにする電圧（電源電圧）の２値で
あったため、分散系５６を挟持する画素電極２０と共通電極３８間の電圧は電源電圧から
ＴＦＴ１２のしきい値電圧を差し引いた電圧となり十分な電圧が得られない。そこで、Ｔ
ＦＴ１２のしきい値電圧を測定し、オフにする電圧からしきい値電圧を差し引いてゲート
電極に印加すれば、画素電極２０と共通電極３８間を電源電圧にすることができるが、温
度、湿度などの外的要因や、通電時間経過による経時変化によりＴＦＴ１２のしきい値電
圧が変動した場合、しきい値電圧が小さくなるとゲート端子に過電圧が印加されＴＦＴ１
２のゲート破壊を起したり、しきい値電圧が大きくなると電圧不足により正確な画像を形
成することができなくなったりする課題があった。
【０００９】
本発明は、上記課題点を解決するためになされたものであり、スイッチング素子のしき
い値電圧が通電時間経過により変動しても正確な画像を形成することができる半導体装置
、電気光学装置および電子機器を提供することにある。
【課題を解決するための手段】
【００１０】
（１）本発明に係る半導体装置は、機能層が有機材料にて形成され、ソース電極とドレ
イン電極とを備えたスイッチング素子と、前記ソース電極と前記ドレイン電極との間に配
置されたＰ型半導体部及びＮ型半導体部を備えた整流素子と、を含む。本発明によれば、
スイッチング素子のしきい値電圧が通電時間経過により変動してもスイッチング素子のゲ
ート破壊を防ぎ、画素電極と共通電極間を電源電圧にすることができるので、正確な画像
を形成することができる。
【００１１】
（２）この半導体装置は、前記Ｎ型半導体部の構成材料は、ｎ型酸化物半導体材料で形
成され、前記Ｐ型半導体部はヨウ化銅または有機半導体で形成されてもよい。
【００１２】
（３）この半導体装置は、前記Ｎ型半導体部は緻密膜で形成されてもよい。
【００１３】
（４）この半導体装置は、前記緻密膜の上に多孔体が形成されてもよい。
【００１４】
（５）この半導体装置は、前記Ｐ型半導体部及び前記Ｎ型半導体部のうち一方が前記ソ
ース電極に接触し、前記Ｐ型半導体部及び前記Ｎ型半導体部のうち他方が前記ドレイン電
極に接触してもよい。
【００１５】
（６）この半導体装置は、前記Ｐ型半導体部及び前記Ｎ型半導体部を覆う遮光層をさら
に含んでもよい。
【００１６】
（７）本発明に係る電気光学装置は、上記半導体装置と、前記半導体装置によって駆動
される電気光学素子と、を備える。
【００１７】
（８）本発明に係る電子機器は、上記電気光学装置を備える。
【発明を実施するための最良の形態】
【００１８】
以下、本発明を適用した実施の形態について図面を参照して説明する。
（半導体装置）
図１は、本発明の実施の形態に係る電気光学装置用基板の要部を示す平面図である。図
２は、本発明の実施の形態に係る電気光学装置用基板に具備された半導体装置近傍の断面
構成を示す断面模式図である。図１及び図２を参照し、本実施の形態に係る半導体装置と
しての電気光学装置用基板の構成を説明する。なお、各図において、各層や各部材を図面
上で認識可能な程度の大きさとするため、各層や各部材毎に縮尺を異ならせてある。
【００１９】
本実施の形態に係る電気光学装置用基板２は、図１および図２に示すように、基板１０
上に半導体装置の主体をなすスイッチング素子（アクティブマトリクス素子）としてのＴ
ＦＴ（薄膜トランジスタ）１２と、整流素子としてのダイオード整流素子１４と、データ
線１６と、ゲート線１８と、画素電極２０とを主体として構成されている。
【００２０】
ＴＦＴ１２は画素電極２０をスイッチング駆動させる機能を有しており、図２に示すよ
うにソース電極１６と、ドレイン電極２０と、ゲート絶縁膜２４と、ゲート電極１８と、
半導体層（図示せず）とを主体として構成されている。ここで、ソース電極１６及びドレ
イン電極２０は、ＴＦＴ１２との接続付近において櫛歯状に形成されており、これにより
ＴＦＴ１２を形成する際のアライメントを容易化している。また、半導体層（機能層）は
有機材料からなり、具体的には高分子半導体材料を用いて構成されている。データ線１６
及びゲート線１８は、ＴＦＴ１２に電気的に接続され、ＴＦＴ１２に対して電気的信号を
供給する配線である。ここで、画素電極２０は、ＴＦＴ１２に直接接続された構成となっ
ており、この場合、画素電極２０がＴＦＴ１２のドレイン電極２０として機能するように
なっている。また、ゲート線１８はＴＦＴ１２に対する走査信号を供給する配線として機
能している。
【００２１】
ダイオード整流素子１４はＰ型半導体部２６とＮ型半導体部２８とを有している。ダイ
オード整流素子１４はＴＦＴ１２のソース電極１６とドレイン電極２０との間に、Ｐ型半
導体部２６とドレイン電極２０と、およびＮ型半導体部２８とソース電極１６とがそれぞ
れ電気的に接続されてなる。
【００２２】
Ｐ型半導体部２６の構成材料としては、ヨウ化銅または有機半導体で形成されていても
よい。Ｎ型半導体部２８の構成材料としては、ｎ型酸化物半導体材料で形成されていても
よい。例えば、二酸化チタン（ＴｉＯ２）、一酸化チタン（ＴｉＯ）、三酸化二チタン（
Ｔｉ２Ｏ３）等の酸化チタン、酸化亜鉛（ＺｎＯ）、酸化錫（ＳｎＯ２）のようなｎ型酸
化物半導体材料や、その他のｎ型半導体材料等が挙げられる。これらのうちの１種または
２種以上を組み合わせて用いることができるが、この中でも、酸化チタン、特に、二酸化
チタンを用いるのが好ましい。
【００２３】
すなわち、Ｎ型半導体部２８は、主として二酸化チタンで構成されているのが好ましい
。二酸化チタンは、その結晶構造が安定しているので、二酸化チタンを主とするＮ型半導
体部２８では、過酷な環境下に曝された場合でも、経年変化（劣化）が少なく、安定した
性能が長期間継続して得られるという利点を有する。また、二酸化チタンとしては、結晶
構造がアナターゼ型の二酸化チタンを主とするもの、ルチル型の二酸化チタンを主とする
もの、アナターゼ型の二酸化チタンとルチル型の二酸化チタンとの混合物を主とするもの
のいずれであってもよい。結晶構造がアナターゼ型の二酸化チタンは、比較的不安定であ
ることに起因して、アナターゼ型の二酸化チタンを主とするＮ型半導体部２８では、電子
を発生し易いという利点を有する。なお、ルチル型の二酸化チタンとアナターゼ型の二酸
化チタンとを混合する場合、ルチル型の二酸化チタンとアナターゼ型の二酸化チタンとの
混合比は、特に限定されないが、例えば、重量比で９５：５〜５：９５程度であるのが好
ましく、８０：２０〜２０：８０程度であるのがより好ましい。
【００２４】
Ｎ型半導体部２８は緻密膜３０で形成されていてもよい。さらに、緻密膜３０の上にナ
ノ粒子の多孔体３２が形成されていてもよい（図３参照）。緻密膜３０を設けることによ
りリーク電流を抑えることができる。緻密膜３０を形成することにより、順方向バイアス
の漏れ電流を少なくし、逆方向にリーク電流が流れるのを防止する。
【００２５】
ダイオード整流素子の順方向電圧はＴＦＴ１２の初期のしきい電圧Ｖｔｈよりも小さく
てもよい。また、ダイオード整流素子の順方向電圧はＴＦＴ１２のしきい値電圧が通電時
間経過に伴い変移するしきい電圧Ｖｔｈよりも小さくてもよい。
【００２６】
ダイオード整流素子は、基板１０の裏面に導体層２２を介してＮ型半導体部２８を設け
、基板１０に穴を形成し、Ｐ型半導体インクを用いてＰ型半導体部２６がコンタクトされ
ていてもよい（図４参照）。Ｐ型半導体部２６の材料は、例えば、Ｆ８Ｔ２（フルオレン
−ビチオフェン共重合体）である。
【００２７】
このように構成された電気光学装置用基板２において、データ線１６がＴＦＴ１２に電
気的に接続されており、画像信号（データ信号）がデータ線１６に対して順次に供給され
るか、あるいは互いに隣接する複数のデータ線１６に対してグループ毎に供給されるよう
になっている。また、ゲート線１８がＴＦＴ１２に電気的に接続されており、複数のゲー
ト線１８に対して走査信号が所定のタイミングでパルス的に線順次で供給されるようにな
っている。さらに、画素電極２０はＴＦＴ１２のドレイン電極２０として機能し、ゲート
電極１８にパルス電圧を印加してＴＦＴ１２を一定期間だけオンすることで、データ線１
６から供給される画像信号が画素電極２０に対し所定のタイミングで書き込まれるように
なっている。
【００２８】
次に、図５を参照しつつ、電気光学装置用基板２のダイオード整流素子１４の製造方法
を説明する。既に基板１０上にソース電極１６（データ線１６）、ドレイン電極２０（画
素電極２０）等が形成されている。
【００２９】
先ず、ソース電極１６（データ線１６）の延長上に電極を設け、その電極上にＮ型半導
体部２８を形成する（ステップＳ１００）。Ｎ型半導体部２８は緻密膜３０で形成されて
いてもよい。さらに、緻密膜３０の上にナノ粒子の多孔体３２が形成されていてもよい（
図３参照）。緻密膜３０の形成方法は、例えばスパッタ法、ＭＯＤ法等を用いて形成する
ことができる。
【００３０】
次に、Ｎ型半導体部２８の上面に、その一端がドレイン電極２０（画素電極２０）に電
気的に接続するようにＰ型半導体部２６を形成する（ステップＳ１１０）。Ｐ型半導体部
２６の形成方法は、例えば、スピンコート法、インクジェット法等の湿式法を用いて形成
することができる。
【００３１】
次に、Ｐ型半導体部２６を乾燥させる（ステップＳ１２０）。なお、Ｐ型半導体部２６
が乾燥した後、ダイオード整流素子１４を覆うように遮光層３４（図２参照）を形成して
もよい。遮光層３４を設けることにより、光がＰ型半導体部２６あるいはＮ型半導体部２
８に入射することを防止されるので、光により発生するキャリアによる誤動作を抑制する
ことができる。遮光層３４の材料はエポキシ系材料等を用いてもよい。
【００３２】
以降は公知の製造方法で順次ゲート絶縁膜２４、ゲート電極１８（ゲート線１８）等を
形成する。
【００３３】
以上の工程により、ＴＦＴ１２と、ダイオード整流素子１４とを含む電気光学装置用基
板２が作成される。本実施の形態では、一連の工程において湿式法（液相プロセス）を採
用しているため、真空装置を用いずに大気圧雰囲気において成膜することができ、製造コ
ストの削減を実現することができる。特に、画素電極２０を除くＴＦＴ１２、ダイオード
整流素子１４の形成工程では、有機材料を主体として用いているため液相プロセスによる
製造が好適で、その製造工程が非常に簡便なものとなっている。
（電気光学装置）
次に、図６を参照し、本実施の形態に係る電気光学装置を説明する。ここでは、電気光
学装置として、上述した電気光学装置用基板２を用いて構成した電気泳動表示装置につい
て説明する。図６は、本発明の実施の形態に係る電気泳動表示装置の要部を示す断面図で
ある。
【００３４】
本実施の形態に係る電気泳動表示装置４の分散系３６は、図６に示すように、上述した
ダイオード整流素子１４、画素電極２０等を設けた電気光学装置用基板２と共通電極３８
等を設けた対向基板４０との間に隔壁４２で仕切られた領域に配置されている。すなわち
、分散系３６は両電極２０，３８と隔壁４２とで形成される空間４４に電気泳動粒子４６
を分散させた液体（分散媒）４８を充填して構成されている。共通電極３８および対向基
板４０としては、透過性を有する材料が用いられている。ここで、例えば２値表示を実現
する場合、分散媒４８は黒色に染色され、電気泳動粒子４６としては酸化チタン等の白色
粒子が用いられる。そして、電気泳動粒子４６は正負いずれかの電荷を持つように帯電さ
れている。
【００３５】
また、電気光学装置用基板２には上述したダイオード整流素子１４、画素電極２０の他
に、図２に示すように、ゲート線１８、データ線１６及びＴＦＴ１２が形成されている。
【００３６】
次に、分散系を制御するＴＦＴ１２の動作について図７を参照して説明する。図７は、
本発明の実施の形態に係る分散系３６を制御するＴＦＴ１２の動作を説明する表示領域の
等価回路図である。なお、本実施形態では、ＴＦＴ１２の導電型はｐチャネル型で、有機
ＴＦＴで構成されているものとする。
【００３７】
図７（Ａ）は、各々の分散系３６の電気泳動粒子４６を共通電極３８側に引き寄せる動
作（データ書き込み）を説明する表示領域の等価回路図であり、図７（Ｂ）は、逆に画素
電極２０側に引き寄せる動作（データクリア）を説明する表示領域の等価回路図である。
【００３８】
データ書き込み時では、図７（Ａ）に示すように、共通電圧Ｖｃｏｍを接地電位（０Ｖ
）、データ線１６を電源電位（ＶＤＤ、例えば４０Ｖ）、ゲート線１８を接地電位（０Ｖ
）、にそれぞれ設定する。この状態においてＴＦＴ１２のソース電極１６にＶＤＤ、ゲー
ト電極１８に０Ｖが印加されるので、ＴＦＴ１２はオン状態となり、ＴＦＴ１２のドレイ
ン電極２０は、分散系３６が充電される期間を経てＶＤＤとなる。
【００３９】
次に、データクリア時の動作について従来技術での動作と本実施の形態に係る電気泳動
表示装置４の動作について説明する。
【００４０】
従来技術におけるデータクリア時では、図１２に示すように、共通電圧ＶｃｏｍをＶＤ
Ｄ、データ線１６を０Ｖ、ゲート線１８を０Ｖ、にそれぞれ設定する。この状態において
ＴＦＴ１２のソース電極１６に０Ｖ、ゲート電極１８に０Ｖが印加されるので、ＴＦＴ１
２はオン状態となるが、ＴＦＴ１２のドレイン電極２０は、分散系３６が充電される期間
を経ても０Ｖまで推移せず、ＴＦＴ１２のしきい値電圧Ｖｔｈに留まってしまう。このた
め、分散系３６の画素電極２０と共通電極３８間の電位差がＶＤＤ−Ｖｔｈのため、分散
媒４８の電気泳動粒子４６が画素電極２０側に引き寄せられる動作が遅くなる、もしくは
十分に引き寄せられない問題があった。
【００４１】
この問題を解決するためには、ＴＦＴ１２のゲート端子に−Ｖｔｈの電位を印加すれば
よいが、例えば、半導体層が有機材料で形成されたいわゆる有機ＴＦＴや半導体層がアモ
ルファスシリコンで形成されたアモルファスシリコンＴＦＴは、通電時間の増加に伴いし
きい値電圧が変化する。いわゆるしきい値電圧シフトが顕著であるため、−Ｖｔｈとして
ゲート端子に印加すべき電圧を設定することが困難である。仮に、一律に−Ｖｔｈをゲー
ト端子に印加するとしきい値電圧が当初のＶｔｈよりも低い電圧になった場合、ゲート破
壊を引き起こす恐れがある。
【００４２】
図８は、ＴＦＴの各ゲート電位におけるＶｄｓ−Ｉｄｓ特性を示す図である。図８に示
すように、Ｖｄｓが２０Ｖ以下ではＩｄｓがほとんど流れない状態である。ＴＦＴのしき
い値電圧が通電時間経過に伴い変移する理由としては、半導体界面（下地層〜半導体界面
、またはゲート絶縁層〜半導体界面）への水分子、イオン等の吸着などにより電子供与性
／電子受容性が発現することなどが考えられる。
【００４３】
本実施の形態に係る電気泳動表示装置４におけるデータクリア時では、図７（Ｂ）に示
すように、共通電圧ＶｃｏｍをＶＤＤ、データ線１６を０Ｖ、ゲート線１８を０Ｖ、にそ
れぞれ設定する。この状態においてダイオード整流素子１４のアノード電極にＶＤＤ、カ
ソード電極に０Ｖが印加されるので、ダイオード整流素子１４はオン状態となり、ＴＦＴ
１２のドレイン電極２０は、分散系３６が充電される期間を経てＶＤＤとなる。
【００４４】
以上に述べた前記実施の形態によれば、以下の効果が得られる。本実施の形態では、ス
イッチング素子であるＴＦＴ１２のしきい値電圧が通電時間経過により変動してもＴＦＴ
１２のゲート破壊を防ぎ、画素電極と共通電極間を電源電圧にすることができるので、正
確な画像を形成することができる。
（電子機器）
上述した本実施の形態に係る電気泳動表示装置４は、表示部を備えた様々な電子機器に
適用することができる。以下、その電子機器の例について説明する。
【００４５】
まず、本実施の形態に係る電気泳動表示装置４をフレキシブルな電子ペーパに適用した
例について説明する。図９は、本発明の実施の形態に係る電子ペーパを示す図である。電
子ペーパ６は、本実施の形態に係る電気泳動表示装置を表示部５０として備える。電子ペ
ーパ６は、従来の紙と同様の質感および柔軟性を有する書き換え可能なシートからなる本
体５２を備えて構成されている。
【００４６】
また、図１０は、本発明の実施の形態に係る電子ブックを示す図である。電子ノート８
は、図９で示した電子ペーパ６が複数枚束ねられ、カバー５４に挟まれているものである
。カバー５４は、例えば外部の装置から送られる表示データを入力する不図示の表示デー
タ入力手段を備える。これにより、その表示データに応じて、電子ペーパが束ねられた状
態のまま、表示内容を変更したり更新したりできる。
【００４７】
また、上述した例に加えて、他の例として、パソコン用モニタ、携帯電話、液晶テレビ
、ビューファインダ型やモニタ直視型のビデオテープレコーダ、カーナビゲーション装置
、ページャ、電子手帳、電卓、ワードプロセッサ、ワークスステーション、テレビ電話、
ＰＯＳ端末、タッチパネルを備えた機器等が挙げられる。本実施の形態に係る電気光学装
置は、こうした電子機器の表示部として用いることができる。
【００４８】
なお、本発明は、上述した実施の形態に限定されるものではなく、種々の変形が可能で
ある。例えば、本発明は、実施の形態で説明した構成と実質的に同一の構成（例えば、機
能、方法及び結果が同一の構成、あるいは目的及び結果が同一の構成）を含む。また、本
発明は、実施の形態で説明した構成の本質的でない部分を置き換えた構成を含む。また、
本発明は、実施の形態で説明した構成と同一の作用効果を奏する構成又は同一の目的を達
成することができる構成を含む。また、本発明は、実施の形態で説明した構成に公知技術
を付加した構成を含む。さらに、本発明は、実施の形態で説明した技術的事項のいずれか
を限定的に除外した内容を含む。あるいは、本発明は、上述した実施の形態から公知技術
を限定的に除外した内容を含む。
【図面の簡単な説明】
【００４９】
【図１】本発明の実施の形態に係る電気光学装置用基板の要部を示す平面図である。
【図２】本発明の実施の形態に係る電気光学装置用基板に具備された半導体装置近傍の断面構成を示す断面図である。
【図３】本発明の実施の形態に係る電気光学装置用基板の要部を示す断面図である。
【図４】本発明の実施の形態に係る電気光学装置用基板の要部を示す断面図である。
【図５】本発明の実施の形態に係る電気光学装置用基板の製造方法を示す図である。
【図６】本発明の実施の形態に係る電気泳動表示装置の要部を示す断面図である。
【図７】本発明の実施の形態に係る分散系を制御するＴＦＴの動作を説明する表示領域の等価回路図である。
【図８】従来の分散系を制御するＴＦＴの各ゲート電位におけるＶｄｓ−Ｉｄｓ特性を示す図である。
【図９】本発明の実施の形態に係る電子ペーパを示す図である。
【図１０】本発明の実施の形態に係る電子ブックを示す図である。
【図１１】従来技術における電気泳動表示装置の１画素に対応した分散系を示す表示パネルの要部断面図である。
【図１２】従来技術における１画素に対応した等価回路を説明する説明図である。
【符号の説明】
【００５０】
２…電気光学装置用基板  ４…電気泳動表示装置  ６…電子ペーパ  ８…電子ノート  
１０…基板  １２…ＴＦＴ（薄膜トランジスタ）  １４…ダイオード整流素子  １６…ソ
ース電極（データ線）  １８…ゲート電極（ゲート線）  ２０…ドレイン電極（画素電極
）  ２２…導体層  ２４…ゲート絶縁膜  ２６…Ｐ型半導体部  ２８…Ｎ型半導体部  ３
０…緻密膜  ３２…多孔体  ３４…遮光層  ３６…分散系  ３８…共通電極  ４０…対向
基板  ４２…隔壁  ４４…空間  ４６…電気泳動粒子  ４８…液体（分散媒）  ５０…表
示部  ５２…本体  ５４…カバー  ５６…分散系  ５８…電気光学装置用基板。
【図１】
2007264003.tif 000003
【図２】
2007264003.tif 000004
【図３】
2007264003.tif 000005
【図４】
2007264003.tif 000006
【図５】
2007264003.tif 000007
【図６】
2007264003.tif 000008
【図７】
2007264003.tif 000009
【図８】
2007264003.tif 000010
【図９】
2007264003.tif 000011
【図１０】
2007264003.tif 000012
【図１１】
2007264003.tif 000013
【図１２】
2007264003.tif 000014